(57)【要約】【課題】水平を測定する水準器（レベル）のみで、架台の受載部を所定の排水勾配に設定できるようにし、またこの架台を用いて防水床構造を構築する。【解決手段】複数個の高さ調節用の脚５を備えた架台本体４に、床材を設置する受載部８と水平基準面部６，７とを設けて架台１を構成する。そして、前記受載部８に水平基準面部６，７に対する所定の排水勾配を付与する。これであれば、架台１を床面へ設置するに際し、架台本体４に設けた水平基準面部６，７に水準器（レベル）を載置して水平を調節するだけで、架台１の受載部８は水平基準面部６，７に対して所定の排水勾配を持つようになる。従って、架台１を水平に設置した後、架台本体４の受載部８に床材を載置して施工するだけで排水勾配を形成することができ、防水床構造の構築が極めて簡単である。【選択図】  図１
2006063716.tif 000002
【特許請求の範囲】
【請求項１】
複数個の高さ調節用の脚を備えた架台本体に、床材を設置する受載部と水平基準面部とを設けて架台と成し、前記受載部の全体をみたときに水平基準面部に対する所定の排水勾配を付与したことを特徴とする架台。
【請求項２】
前記受載部の排水勾配は、直交する平面座標軸であるＸ軸及びＹ軸の各軸方向に沿った複合的なものである請求項１に記載の架台。
【請求項３】
架台本体を形成する部材に、水平基準面部となる面を形成した部材を取り付けて水平基準面部を形成した請求項１又は２に記載の架台。
【請求項４】
架台本体と、架台本体上に設置される防水層と、防水層上に設置される保護層とから成り、防水層は平板状部材と防水シートとで構成されている請求項１〜３のいずれかに記載の架台を用いた防水床構造。
【請求項５】
排水口が防水層の隅部に形成されている請求項４に記載の架台を用いた防水床構造。
【発明の詳細な説明】
【技術分野】
【０００１】
本発明は、現場での下地調整（排水勾配だし）が容易で且つ現場サイズに容易に対応することのできる架台及びこれを用いた防水床構造に関するものである。
【背景技術】
【０００２】
例えば、浴室等において防水床構造を構築する場合、湿式工法と乾式工法とがある。湿式工法では、建物躯体の床面に浴槽を設置すると共に、洗場側の床面にモルタルを流し込み、防水シートを被覆した後、モルタル等の接着剤を介してタイルを貼り付けて完成させている。ところが、従来の湿式工法では、モルタル等の下地調整（排水勾配だし）にかなりの時間を要するという欠点があった。
【０００３】
一方、従来の湿式工法の欠点を改善する工法として、特許文献１に示す乾式工法の技術がある。この乾式工法の技術は、防水パンを搭載できる架台を左右に分割して浴室床に配置し、架台の高さ調節を行った後、架台の上に防水パンを搭載し、浴槽の設置と洗場床面の仕上げを行っている。架台の高さ調節は、防水パンを載せる受載部に、水準器（レベル）を置き、所定の排水勾配となるように架台の脚のボルトを廻して行っている。
【特許文献１】実開平６−８７４７６号公報
【発明の開示】
【発明が解決しようとする課題】
【０００４】
ところが、一般に用いられる水準器（レベル）は、水平レベルのみを検知するものであり、その勾配の程度まではわからず、ほとんどの施工業者が持っているのに対し、勾配を測ることのできる水準器は通常の施工業者では持っていないのが現状である。そのため、現場において排水勾配の設定は特定の施工業者に限られ、円滑な施工が行えないという欠点があった。
【０００５】
本発明は従来の前記課題に鑑みてこれを改良除去したものであって、水平を測定する水準器（レベル）のみで、架台の受載部を所定の排水勾配に設定することのできる架台と、これを用いた防水床構造を提供せんとするものである。
【課題を解決するための手段】
【０００６】
而して、前記課題を解決するために本発明が採用した請求項１の手段は、複数個の高さ調節用の脚を備えた架台本体に、床材を設置する受載部と水平基準面部とを設けて架台と成し、前記受載部の全体をみたときに水平基準面部に対する所定の排水勾配を付与したことを特徴とする架台である。
【０００７】
また本発明が採用した請求項２の手段は、前記受載部の排水勾配は、直交する平面座標軸であるＸ軸及びＹ軸の各軸方向に沿った複合的なものである請求項１に記載の架台である。
【０００８】
更に、本発明が採用した請求項３の手段は、架台本体を形成する部材に、水平基準面部となる面を形成した部材を取り付けて水平基準面部を形成した請求項１又は２に記載の架台である。
【０００９】
本発明が採用した請求項４の手段は、架台本体と、架台本体上に設置される防水層と、防水層上に設置される保護層とから成り、防水層は平板状部材と防水シートとで構成されている請求項１〜３のいずれかに記載の架台を用いた防水床構造である。
【００１０】
本発明が採用した請求項５の手段は、排水口が防水層の隅部に形成されている請求項４に記載の防水床構造である。
【発明の効果】
【００１１】
請求項１の発明にあっては、架台を床面へ設置するに際し、架台本体に設けた水平基準面部に水準器（レベル）を載置して水平を調節するだけで、架台の受載部はその全体をみたときに、水平基準面部に対して所定の排水勾配を持つことになる。従って、架台を水平に設置した後、架台本体の受載部に床材を載置して施工するだけで排水勾配を形成することができ、防水床構造の構築が極めて簡単であり、ほとんどの施工業者が施工可能となる。また架台を現場の大きさに合わせる必要がなく、床材を切断して現場の寸法に対応することができるので、現場における施工作業が極めて容易である。
【００１２】
請求項２の発明にあっては、架台本体の水平基準面部が水平となるように架台を設置するだけで、防水床面に一つの隅角部へ向かう複合的な排水勾配を付与することができ、施工が極めて容易である。
【００１３】
請求項３の発明にあっては、架台本体を形成する部材に、水平基準面部となる面を形成した他の部材を取り付けることで、架台本体に水平基準面部を形成するようにしている。そのため、架台本体の全体を例えば軽量形鋼等の同一部材で形成することができ、架台の製作が容易である。また水平基準面部の形成も別部材を架台本体へ溶接等で取り付ければよく、作業が容易である。
【００１４】
請求項４の発明にあっては、防水層が平板状部材と防水シートとで構成されており、同一面内では完全なフラットとなるため、排水勾配を気にせず、適所位置で平板状部材及び防水シートを切断することが可能となり、現場における大きさや平面形状に対する可変性を高めることが可能である。
【００１５】
請求項５の発明にあっては、排水口予定位置に向けて、架台本体の受載部の排水勾配を調整すれば、防水層の勾配を考慮することなく、円滑な排水が可能である。
【発明を実施するための最良の形態】
【００１６】
以下に、本発明の構成を図面に示す発明の実施の形態に基づいて説明すると次の通りである。図１は本発明の第１の実施の形態に係る防水床構成用の架台１を示すものであり、図（Ａ）はその平面図、図（Ｂ）は同正面図、図（Ｃ）は同右側面図である。図面に示す如く、この第１の実施の形態の架台１は、横方向のクロスメンバー２と縦方向のロングメンバー３とを枠組み形成した架台本体４を有し、該架台本体４の各メンバー２及び３が交差する部分等の適所の下面側に高さ調節用のボルトを備えた脚５が取り付けられている。そして、架台本体１の内側の四隅部には、水平基準面部６及び７が設けられている。水平基準面部６及び７は板状部材であり、架台を設置する仮想の水平面としての仮想基準面Ｆに対して平行となるように設定されている。従って、これらの水平基準面部６及び７に、水準器（レベル）を載置して水平を出すだけで、水平基準面部６及び７は、仮想基準面Ｆに対して平行となる。なお、水平基準面部６，７は、架台１の製造工場において、架台本体４に対して水平基準面部６，７を有する板材を予め取り付けることで、架台本体４に対して高精度に設けることが可能である。またこの場合、一組の水平基準面部６及び７を一枚の板材で形成することも可能である。更に、図８に示す様に、各メンバー２及び３とは別部材３７で形成したものを、各メンバー２及び３に取り付けるようにすることも可能である。この図８の場合には、各メンバー２及び３に別部材３７を取り付けるだけで、架台１に所定の排水勾配を付与することが可能である。
【００１７】
また架台本体４を構成するロングメンバー３の上面は、受載部８とされている。この受載部８は、前記水平基準面部６及び７に対して所定の排水勾配Ｒを取るようになされている。排水勾配Ｒは、Ｘ軸方向においては、図（Ｂ）の左側から右側方向へ向けて下りとなる排水勾配Ｇが設定されており、Ｙ軸方向においては、図（Ｃ）の左側から右方向へ向けて下りとなる排水勾配Ｈが設定されている。従って、これの排水勾配Ｇ，Ｈは、全体として図（Ａ）の矢符Ｒで示すように、左下方の隅角部から右上の隅角部へ向けて対角線状に付与される複合的なものとなる。
【００１８】
このように構成された架台１であれば、施工現場において、架台１を搬入した後、それぞれの水平基準面部６及び７に水準器（レベル）を載置してその下方の脚５の高さを調節し、ほとんどの水平基準面部６及び７を水平にすることで、受載部８にＸ軸方向及びＹ軸方向の複合的な排水勾配Ｒを付与することができる。そのため、施工業者の作業は、水平を出すための単一の高さ調節作業のみであり、極めて簡単であるばかりなく、ほとんどの施工業者が持っている水準器（レベル）を用いるだけであり、排水勾配を測定することのできる特殊な水準器等は不要であって、一般的な施工工具で行えるという利点がある。然る後は、架台１の受載部８の上に、防水床パン（図示せず）を設置したり、防水床構造を構築するなどを行えばよい。
【００１９】
図２乃至図４は、本発明の第２の実施の形態に係るものであり、架台９Ａ，９Ｂを二つ併設し、一方を浴槽設置用の架台９Ａとし、他方を洗場設置用の架台９Ｂとしたものである。図２の図（Ａ）は全体を示す斜視図、同図（Ｂ）はそのＸ軸方向を示す正面図、同図（Ｃ）はＹ軸方向を示す右側面図である。また図３は架台９Ａ，９Ｂを設置した後の状態を示す分解斜視図、図４は施工後の浴室の縦断面図である。図２に示す如く、この実施の形態における架台９Ａ，９Ｂは、同一大きさの複数本の横方向のクロスメンバー１０と、高さ寸法の異なる複数本の縦方向のロングメンバー１１Ａ〜１１Ｃとを枠組み形成した架台本体１２を有している。そして、該架台本体１２のクロスメンバー１０のうち、前後方向両端と中央に位置する合計３本のクロスメンバー１０とロングメンバー１１Ａ〜１１Ｃとが交差する部分等の適所の下面側に高さ調節用のボルトを備えた脚５が取り付けられている。
【００２０】
この実施の形態における水平基準面部１３は、クロスメンバー１０の上面とされている。また防水床材（図示せず）や床パン等を設置するための受載部１４Ａ〜１４Ｃは、高さ寸法のそれぞれ異なるロングメンバー１１Ａ〜１１Ｃの上面とされている。水平基準面部１３が、架台を設置する仮想の水平面としての仮想基準面Ｆに対して平行となるように設定されていることは、前記第１の実施の形態の場合と同じである。従って、クロスメンバー１０の上面に水準器（レベル）を載置して水平を出すだけで、水平基準面部１３は、仮想基準面Ｆに対して平行となる。
【００２１】
これに対して、併設した二つの架台９Ａ，９Ｂの各架台本体１２を構成するロングメンバー１１Ａ〜１１Ｃの上面に設定された受載部１４Ａ〜１４Ｃは、Ｘ軸方向については、図２の図（Ｂ）に示すように、高さ寸法のそれぞれ異なるロングメンバー１１Ａ〜１１Ｃの上面のエッジ部がこれらを全体としてみたときに、水平基準面部１３に対して所定の排水勾配Ｇを取るように設定されている。一方、Ｙ軸方向については、同図の図（Ｃ）に示すように、高さ調節用のボルトを備えた脚５の下面側にライナー１５を設置することで所定の排水勾配Ｈを取るようになされている。従って、一つの架台９Ａの排水勾配は、図（Ａ）の矢符Ｒで示す様に、左下方の隅角部から右上の隅角部へ向けて対角線状に付与されてり、他方の架台９Ｂの排水勾配は矢符Ｓで示す様に、右下方の隅角部から左上の隅角部へ向けて対角線状に付与されている。
なお、受載部１４Ａ〜１４Ｃは、ロングメンバー１１Ａ〜１１Ｃの上面自体が所定の排水勾配Ｇを取るように構成することも可能である。
【００２２】
架台９Ａ，９Ｂの製造例としては、定盤上に高さ寸法の異なるロングメンバー１１Ａ〜１１Ｃを配置し、隣接するロングメンバー１１Ａ〜１１Ｃどうしを、定盤上に配置した同一大きさの各パイプからなるクロスメンバー１０で溶接又はビス止め等により連結すればよい。定盤上で組み立てる理由は、架台本体１２に捩じれを発生させないようにして、複数本のロングメンバー１１Ａ〜１１Ｃの上面で一つの仮想平面（排水勾配Ｇ）を形成するためである。
【００２３】
このように構成された架台９Ａ，９Ｂであれば、施工現場において、架台９Ａ，９Ｂを搬入した後、それぞれのクロスメンバー１０の上面である水平基準面部１３に水準器（レベル）を載置してその下方の脚５の高さを調節し、ほとんどの水平基準面部１３を水平にすることで、ロングメンバー１１Ａ〜１１Ｃの上面である受載部１４Ａ〜１４ＣにＸ軸方向の排水勾配Ｇを付与することが可能である。然る後に、高さ調節部材である脚５の下面側に高さの異なるライナー１５を配設することで、Ｙ軸方向の排水勾配Ｈを付与することができる。これにより、Ｘ軸方向及びＹ軸方向の複合的な排水勾配Ｒ，Ｓを付与することができる。そのため、施工業者の作業は、この実施の形態の場合も水平を出すための高さ調節作業とライナー１５を組み込む作業だけであり、極めて簡単である。しかも、ほとんどの施工業者が持っている水準器（レベル）を用いて行うことができ、排水勾配を測定することのできる特殊な水準器等は不要であって、一般的な施工工具で行えるという利点がある。
【００２４】
然る後は、図３の分解斜視図及び図４の浴室縦断面図に示すように、浴槽設置部の架台９Ａには防水床パン１６を設置し、洗場設置部の架台９Ｂには平板状部材１７と防水シート１８とからなる防水層１９及び保護層２０（図３ではいずれも図示を省略）を設け、防水床構造を構築すればよい。防水床構造の構築は、浴槽設置部の架台９Ａ上にした防水床パン１６に、衝撃緩衝及び断熱作用を目的とする発泡スチロール，発泡プロピレン等の発泡板２１を載置している。そして、洗場設置部の架台９Ｂ上に、耐水性合板又はシーリングボード２２と薄型の耐湿性板材２３とからなる平板状部材１７を設置している。
【００２５】
そして、洗場側の平板状部材１７との上に、防水シート１８を被覆している。防水シート１８としては、アスファルトルーフィングやゴムアスルーフィング等の屋根材を流用できる。尚、この防水シート１８は、浴室壁面の床面から所定の高さ位置まで連続して配設されている。更に、洗場設置部側にあっては、防水シート１８の上に耐湿性板材２４を配設し、該耐湿性板材２４の上にモルタルなどの接着剤を介してタイル２５を貼着している。耐湿性板材２４は、セメント質の平板状心材の両表面側に補強ガラス繊維のメッシュシートを埋め込んで補強したセメントボードで構成されている。前記発泡板２１及び平板状部材１７は、現場において、自由に寸法を切断することが容易であり、現場対応に優れている。
【００２６】
更にまた、洗場設置部の中央寄りの一隅角部と、これに隣接する浴槽設置部の中央よりの一隅角部とに、それぞれトラップ２６及び２７を設置し、浴槽設置部側のトラップ２７を洗場設置部側のトラップ２６へ連通接続して親子トラップを形成している。なお、図３において、符号Ｐ１はトラップ２７を設置するための防水床パン１６に設けた排水口、符号Ｐ２はトラップ２６を設置するための平板状部材１７に設けた排水口である。
【００２７】
図５は、本発明の第３の実施の形態に係る架台２８を示すものであり、図（Ａ）は平面図、図（Ｂ）は正面図、図（Ｃ）は右側面図である。同図に示す如く、この架台２８は、架台本体２９が所定間隔ごとに配設された複数本のクロスメンバー３０と、該クロスメンバー３０上に載置されてこれらを連結する断面Ｆ字状のロングメンバー３１Ａ〜３１Ｃとで構成されている。クロスメンバー３０の上端面は水平基準面部３２を構成している。
【００２８】
またロングメンバー３１Ａ〜３１Ｃは、同図の図（Ｂ）に示すように、Ｘ軸方向には、その高さ寸法が異なることで上端面である受載部３３Ａ〜３３Ｃが左側から右側方向へ下りの排水勾配Ｇとなるように設定されている。またＹ軸方向については、同図の図（Ｃ）に示すように、それぞれのロングメンバー３１Ａ〜３１Ｃにおいて高さ寸法を連続して変化させることで、受載部３３が所定の仮想基準面Ｆに対して排水勾配Ｈを取るように設定されている。なお、ロングメンバー３１Ａ〜３１Ｃのクロスメンバー３０へ取り付ける基部は、Ｙ軸方向の水平基準面部３４を構成している。更にまた、ロングメンバー３１Ａ〜３１Ｃと交差するクロスメンバー３０の下面側等の適所には、高さ調節用の脚５が設置されている。
【００２９】
架台２８の製造例としては、図２に示す架台９Ａ，９Ｂの場合と同じように、定盤上で組み立て、架台本体２９に捩じれを発生させないようにして、複数のロングメンバー３１Ａ〜３１Ｃの受載部３３Ａ〜３３Ｃで一つの仮想平面（排水勾配Ｇ）を形成すると共に、架台本体２９の底面側を水平基準面部３２，３４と平行にしてある。架台本体２９の底面側を水平基準面部３２，３４と平行にすることにより、次のような利点がある。例えば、ほぼ水平に調整した施工床面に設置するときには、隣室床面との関係で高さ調節用の脚５の高さが決定したとき、全ての高さ調節用の脚５を同一高さに調節した後に、施工床面上に設置することで、水平基準面部３２，３４をほぼ水平とすることができる。その後に、各高さ調節用の脚５の不陸を調整し、水平基準面部３２，３４の最終調整を行えば、架台２８の施工は極めて容易となる。
【００３０】
従って、この実施の形態の架台２８では、クロスメンバー３０の水平基準面部３３及びロングメンバー３１Ａ〜３１Ｃの水平基準面部３４上に水準器（レベル）を置いて、水平となるように脚５の高さ調節を行うだけで矢符Ｒ方向の複合的な排水勾配を取ることが可能である。然る後は、前記各実施の形態の場合と同じように、架台２８の上に防水床パンを設置したり、防水床構造を構築したりすればよい。
【００３１】
図６及び図７は、本発明の第４及び第５の実施の形態に係るものである。図６に示す第４の実施の形態では、図５に示す架台２８を向き合わせて二台併設し、中央の一方側の隅角部に向かう排水勾配を設けるようにしている。また図７に示す第５の実施の形態では、図５に示す架台２８を同じ方向へ二台併設し、これらの全体で一つの連続した排水勾配を取るようにしている。その他の構成並びに作用効果は、前記各実施の形態の場合と同じである。
【００３２】
図８は水平基準面部３５を、架台本体を構成する部材３６とは別部材３７で形成するようにした変形実施例を示す斜視図である。水平基準面部構成部材３７は、アルミ合金やステンレス板等の金属板をＺ字状に折曲形成し、架台本体を構成するクロスメンバー又はロングメンバー３６に溶接等により、取り付けたものである。この場合、前記部材３７の水平基準面部３５を取付面３８に対して所定の勾配関係を持つように設定しておけば、架台本体を構成するクロスメンバー又はロングメンバー３６に、通常の各パイプ等の軽量形鋼を用いることができ、汎用性に優れている。また水平基準面部３５に水準器（レベル）を置いて水平出しを行うだけでクロスメンバー又はロングメンバー３６の上面（受載部）に所定の排水勾配を付与することが可能である。
【００３３】
なお、上述した各実施の形態における脚５は、クロスメンバー又はロングメンバーの底面にボルト挿通孔を穿設し、ボルト挿通孔と同心となるようにナットを底面に取着し、ナットにボルトを螺着して構成することが可能である。調節後は、ロックナットを緊締すればよい。また上記各メンバーの底面に取着したナットは、これらの各メンバーの底面に雄ネジを設けることで代用することが可能である。
【図面の簡単な説明】
【００３４】
【図１】本発明の第１の実施の形態に係る防水床構成用の架台を示すものであり、図（Ａ）はその平面図、図（Ｂ）は同正面図、図（Ｃ）は同右側面図である。
【図２】本発明の第２の実施の形態に係るものであり、図（Ａ）は全体を示す斜視図、図（Ｂ）はＸ軸方向を示す正面図、図（Ｃ）はＹ軸方向を示す右側面図である。
【図３】本発明の第２の実施の形態に係るものであり、架台を設置した後の状態を示す分解斜視図である。
【図４】本発明の第２の実施の形態に係るものであり、施工後の浴室の縦断面図である。
【図５】本発明の第３の実施の形態に係る防水床構成用の架台を示すものであり、図（Ａ）はその平面図、図（Ｂ）は同正面図、図（Ｃ）は同右側面図である。
【図６】本発明の第４の実施の形態に係る防水床構成用架台の正面図である。
【図７】本発明の第５の実施の形態に係る防水床構成用架台の正面図である。
【図８】本発明の水平基準面部を別部材で構成する場合の変形例を示す斜視図である。
【符号の説明】
【００３５】
１…架台、２…クロスメンバー、３…ロングメンバー、４…架台本体、５…脚、６，７  …水平基準面部、８…受載部、Ｒ…排水勾配
【図１】
2006063716.tif 000003
【図２】
2006063716.tif 000004
【図３】
2006063716.tif 000005
【図４】
2006063716.tif 000006
【図５】
2006063716.tif 000007
【図６】
2006063716.tif 000008
【図７】
2006063716.tif 000009
【図８】
2006063716.tif 000010